(57)【要約】【課題】撮像装置の表示部が大きく、全面タッチパネルであることに加え、後から操作部材を配置したとしても、使用者が操作性の良い操作部材配置を行うことでき、かつ自由度の高い操作部材の配置を可能とした撮像装置を提供する。【解決手段】本発明は、被写体を撮像する撮像部と、前記撮像部で撮像する画像や撮影済みの画像、設定情報などが表示可能な表示部と、前記表示部と同一面積のタッチパネルと、前記タッチパネル上に任意の位置に着脱可能な第一の操作部材と第二の操作部材と、前記第一の操作部材と前記第二の操作部材の位置、外形を検知可能な前記タッチパネルを備え、操作部材の配置モードに移行した場合は、不揮発性メモリから操作部材のレイアウト情報を呼び出し、前記表示部に推奨位置を表示することを特徴とする構成とした。【選択図】図１
2019056856.tif 000002
【特許請求の範囲】
【請求項１】
被写体を撮像する撮像部（２２）と、
前記撮像部（２２）で撮像する画像や撮影済みの画像、設定情報が表示可能な表示部（２８）と、
前記表示部（２８）と同一面積のタッチパネル（２９）と、
前記タッチパネル（２９）上に任意の位置に着脱可能な第一の操作部材（１１０）と第二の操作部材（１１１）と、
前記第一の操作部材（１１０）と前記第二の操作部材（１１１）の位置、外形を検知可能な前記タッチパネル（２９）を備え、
操  作部材の配置モードに移行した場合は、不揮発性メモリ（５６）から操作部材のレイアウト情報を呼び出し、前記表示部（２８）に推奨位置を表示することを特徴とする撮像装置（２００）。
【請求項２】
前記表示部（２８）に表示された配置レイアウト（２１０、２１１）は、前記表示部（２８）の範囲内を、移動できることを特徴とする請求項１の撮像装置（２００）。
【請求項３】
前記表示部（２８）に表示された配置レイアウト（２１０、２１１）に第一の操作部材（１１０）及び第二の操作部材（１１１）を取り付け、機能の割り付けを行う際、撮影系の操作部材が前記表示部（２８）の中央よりも左側の操作部材に割り当てられた時に警告を表示することを特徴とする請求項１の撮像装置（２００）。
【発明の詳細な説明】
【技術分野】
【０００１】
本発明は、タッチパネルを有した液晶部に操作部材を自由に配置する事が可能な撮像装置に関するものである。
【背景技術】
【０００２】
従来、カメラの背面には、カメラの情報を表示するための情報表示部とカメラの撮影設定を行うための操作部材が搭載されている。一部のカメラの情報表示部にはタッチによる入力操作が可能なものも多くある。情報表示部は撮影された画像を確認し、さらにカメラの撮影条件を設定するために表示部の大きいものが望まれている。一部のカメラでは情報表示装置の上部に撮影者が被写体を観察するために使用するファインダが搭載されている。撮影者は撮影時にファインダ部を覗きこみながら撮影情報などの設定を行うため、目視せずとも作業ができるようにメカ操作部材がカメラ背面に取り付けられている。
【０００３】
近年の携帯電話やタブレット端末、ゲーム機器、コンパクトデジタルカメラなどには操作部材が限られた数しか搭載されておらず、タッチパネルでほとんどの操作を行うものが多い。こうしたことからカメラの将来像の一つとしてカメラ背面の全面がタッチ操作可能な情報表示部になることが考えられる。
【０００４】
特許文献１では、データを入力するために第一のキー入力部とタッチ操作が可能な表示部を覆うように配置された第二のキースイッチを備えている。さらに第二のキースイッチは第一のキースイッチと別体に設けられ、キースイッチ部はゴム性の入力部材となっている。この第二のキースイッチを押操作することによりタッチパネルをキー操作で行うことが可能となる。
【０００５】
特許文献２ではタッチパネルを囲っているケースの一部に回動可能な回転操作部材が設けられている。回転操作部材にはタッチパネルを押操作させる押操作部材が収容され、回転操作部材を回動することにより押操作部材はタッチパネル上に配置される。つまり、押操作部材を使用したタッチパネルの入力操作が可能となる。
【先行技術文献】
【特許文献】
【０００６】
【特許文献１】特開２０００−３０５６９８号公報
【特許文献２】特開２００４−１７９００１号公報
【発明の概要】
【発明が解決しようとする課題】
【０００７】
しかしながら、特許文献１に開示された従来技術では、第二のキースイッチが液晶部を覆うように配置されるため、液晶部の表示エリアが狭くなってしまう。さらに、入力部は配列が決まった構成で任意の位置にキー入力部を配置することが困難となりキー入力の自由度が低い。
【０００８】
特許文献２に開示された従来技術では、ケースに回転操作部材を収容するスペースが必要となり、液晶部の拡大が困難である。また、押操作部の動作は回動のみとなってしまうため配置位置にも制限が出てしまい自由度が低い。
【０００９】
そこで、本発明の目的は、カメラ背面の液晶部が全面タッチパネルで、後から操作部材を配置することを前提とし、表示部に補助を表示することで操作性が良く、自由度の高い操作部材配置を可能とする撮像装置を提供することである。
【課題を解決するための手段】
【００１０】
前記目的を達成するために、本発明は、
被写体を撮像する撮像部と、
撮像装置の背面に配置され、前記撮像部で撮像する画像や撮影済みの画像、前記撮像装置の設定情報が表示可能な表示部と、
前記表示部と同一面積のタッチパネルと、
前記タッチパネル上に任意の位置に着脱可能な操作部材と、
前記操作部材が配置され、且つ、前記操作部材の位置、外形を検知可能なタッチパネルを備え、
前記操作部材を配置する時には、不揮発性メモリから操作部材レイアウト情報を呼び出し、前記表示部に推奨位置を表示することを特徴とする。
【発明の効果】
【００１１】
本発明によれば、大型の表示部とタッチパネルを有しながら、メカ操作部材をタッチパネルの任意の位置に取り付ける事を可能とした、撮像装置を提供することができる。
【図面の簡単な説明】
【００１２】
【図１】本実施形態の第一の操作部材１１０と第二の操作部材１１１を取り付けたカメラ２００の外観図
【図２−ａ】第一の操作部材１１０を上側から見た分解斜視図
【図２−ｂ】第一の操作部材１１０を下側から見た分解斜視図
【図２−ｃ】第一の操作部材１１０の組図
【図２−ｄ】第一の操作部材１１０のの中央断面図
【図３−ａ】第二の操作部材１１１の側面図
【図３−ｂ】第二の操作部材１１１の中央断面図
【図３−ｃ】第二の操作部材１１１の分解斜視図
【図４】本実施形態のカメラ２００の外観図
【図５】本実施形態の操作部材を取り付ける際のフローチャート
【図６−ａ】操作部材の配置を参考とするカメラＡ
【図６−ｂ】操作部材の配置を参考とするカメラＢ
【図７】カメラＢの操作部材配置情報を読み込んだ本実施形態のカメラ２００
【図８】第三の操作部材１３０の分解斜視図
【図９】第二の操作部材１１１に機能を割りつける時の説明図
【図１０】操作部材配置情報読み込み後の操作部材配置方法の説明図
【図１１】カメラのハードウェア構成を概略的に示すブロック図
【発明を実施するための形態】
【００１３】
以下に、本発明の好ましい実施の形態を、添付の図面に基づいて詳細に説明する。図１は、本発明の実施形態にかかわるカメラ２００の外観を示す図である。
【００１４】
操作部材７１はカメラ２００にあらかじめ取り付けられている。表示部２８は液晶部とタッチパネル２９から構成されている。第一の操作部材１１０と第二の操作部材１１１は前記表示部２８に後から取り付けられる操作部材である。第一の操作部材１１０と第二の操作部材１１１についての構成は後述する。
【００１５】
図１１を用いてカメラ２００のシステムを詳細に説明する。表示部２８は画像や各種情報を表示する表示部である。即ち、表示部２８は、被写体を撮像する撮像部２２で撮像する画像や撮影済みの画像、設定情報などが表示可能である。なお、カメラ２００は操作部７０の一つとして、表示部２８に対する接触を検知可能なタッチパネル２９を有する。タッチパネル２９は表示部２８と略同一面積である。
【００１６】
このタッチパネル２９と表示部２８とは一体的に構成することができる。例えば、タッチパネル２９を光の透過率が表示部２８の表示を妨げないように構成し、表示部２８の表示面の上層に取り付ける。そして、タッチパネル２９における入力座標と、表示部２８上の表示座標とを対応付ける。これにより、恰もユーザが表示部２８上に表示された画面を直接的に操作可能であるかのようなＧＵＩを構成することができる。
【００１７】
撮像部２２は光学像を電気信号に変換するＣＣＤやＣＭＯＳ素子等で構成される撮像素子である。Ａ／Ｄ変換器２３は、撮像部２２から出力されるアナログ信号をデジタル信号に変換するために用いられる。
【００１８】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部２５が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００１９】
Ａ／Ｄ変換器２３からの出力データは、画像処理部２４及びメモリ制御部１５を介して、メモリ２６に直接書き込まれる。メモリ２６は、撮像部２２によって得られＡ／Ｄ変換器２３によりデジタルデータに変換された画像データや、表示部２８に表示するための画像データを格納する。メモリ２６は、所定枚数の静止画像や所定時間の動画像および音声を格納するのに十分な記憶容量を備えている。
【００２０】
また、メモリ２６は画像表示用のメモリ（ビデオメモリ）を兼ねている。Ｄ／Ａ変換器１３は、メモリ２６に格納されている画像表示用のデータをアナログ信号に変換して表示部２８に供給する。こうして、メモリ２６に書き込まれた表示用の画像データはＤ／Ａ変換器１３を介して表示部２８により表示される。
【００２１】
表示部２８は、ＬＣＤ等の表示器上に、Ｄ／Ａ変換器１３からのアナログ信号に応じた表示を行う。Ａ／Ｄ変換器２３によって一度Ａ／Ｄ変換されメモリ２６に蓄積されたデジタル信号をＤ／Ａ変換器１３においてアナログ変換し、表示部２８に逐次転送して表示することで、電子ビューファインダとして機能し、スルー画像表示（ライブビュー表示）を行える。
【００２２】
不揮発性メモリ２７は、電気的に消去・記録可能なメモリであり、例えばＥＥＰＲＯＭ等が用いられる。不揮発性メモリ２７には、システム制御部２５の動作用の定数、プログラム等が記憶される。ここでいう、プログラムとは、本実施形態にて後述する各種フローチャートを実行するためのプログラムのことである。
【００２３】
システム制御部２５は、デジタルカメラ２００全体を制御する。前述した不揮発性メモリ２７に記録されたプログラムを実行することで、後述する本実施形態の各処理を実現する。３２はシステムメモリであり、ＲＡＭが用いられる。システムメモリ３２には、システム制御部２５の動作用の定数、変数、不揮発性メモリ２７から読み出したプログラム等を展開する。また、システム制御部はメモリ２６、Ｄ／Ａ変換器１３、表示部２８等を制御することにより表示制御も行う。
【００２４】
操作部７０はカメラ２００にあらかじめ取り付けられている前記操作部材７１、表示部２８に取り付けられる、第一の操作部材１１０・第二の操作部材１１１を含む。各操作部材は、表示部２８に表示される種々の機能アイコンを選択操作することにより、場面ごとに適宜機能が割り当てられ、各種機能釦として作用する。機能釦としては、例えば終了釦、戻る釦、画像送り釦、ジャンプ釦、絞込み釦、属性変更釦等がある。例えば、メニュー釦が押されると各種の設定可能なメニュー画面が表示部２８に表示される。ユーザは、表示部２８に表示されたメニュー画面と、上下左右の４方向釦やＳＥＴ釦とを用いて直感的に各種設定を行うことができる。また、操作部７０は、ユーザからの操作を受け付ける入力部としての各種操作部材である。操作部７０には、少なくとも以下の操作部材が含まれる。シャッター釦、メイン電子ダイヤル、電源スイッチ、Ｉｎｆｏ釦、十字キー、ＳＥＴ釦、ＬＶ釦、拡大釦、再生釦。
【００２５】
電源制御部３１は、電池検出回路、ＤＣ−ＤＣコンバータ、通電するブロックを切り替えるスイッチ回路等により構成され、電池の装着の有無、電池の種類、電池残量の検出を行う。電源部３０は、アルカリ電池やリチウム電池等の一次電池やＮｉＣｄ電池やＮｉＭＨ電池、Ｌｉ電池等の二次電池、ＡＣアダプター等からなる。
【００２６】
次に、図２に記載の第一の操作部材１１０について詳細に説明する。図２−ａと図２−ｂは第一の操作部材１１０の分解斜視図である。図２−ｃは第一の操作部材１１０の組み図を示し、図２−ｄは第一の操作部材１１０の中央断面図を示す。
【００２７】
第一の操作部材１１０はカバー１２０、スプリング１２１、ボール１２２、ダイヤル１２３、ベース１２８、ブラシ１２４、導電部１２５、ビス１２６、ダイヤルフィルム１２７で構成される。ダイヤル１２３はカバー１２０とダイヤルベース１２８との間に回転可能に保持され、ビス１２６により締結される。ボール１２２とスプリング１２１はダイヤルベース１２８に固定される。ボール１２２とスプリング１２１は、ダイヤル１２３が回転したときにダイヤル１２３の内接部に形成された凹凸を、スプリング１２１が圧縮動作を行うことにより回転したときのクリック感を使用者に与えることができる。ブラシ１２４はダイヤル１２３にカシメて固定され、ダイヤル１２３の回転と同調してダイヤルベース１２８に成形された導電部１２５上を摺動する。導電部１２５はダイヤルベース１２８を貫通して成形されている。ダイヤル１２３は導電樹脂で成形されている。ダイヤルフィルム１２７はダイヤルベース１２８の底面に両面テープ等の粘着剤で取り付けられる。また、ダイヤルベース１２８側の接着面より表示部２８側の接着面の方がダイヤルフィルム１２７の接着力は弱い。使用者はダイヤルフィルム１２７を表示部２８に取り付けることで第一の操作部材１１０は固定される。
【００２８】
図２−ｃは第一の操作部材１１０の断面図でありここでは、静電容量の検知方法を説明する。静電容量の変化は、使用者の手からダイヤル１２３、ブラシ１２４、導電部１２５を通して、タッチパネル２９に伝えられ、第一の操作部材の回転方向を検出することが可能となる。
【００２９】
図３−ａに第二の操作部材１１１の側面図、図３−ｂに第二の操作部材１１１のＡ−Ａ断面図、図３−ｃに第二の操作部材１１１の分解斜視図を示す。第二の操作部材１１１は、押圧部１１２とラバー１１３とフィルム１１４から構成されている。押圧部１１２はラバー１１３に圧入して保持される。ラバー１１３とフィルム１１４は粘着剤で固定される。また、第二の操作部材１１１はフィルム１１４を表示部２８に貼りつけて、カメラ２００に保持される。フィルム１１４の貼りつけ方法は、例えばラバーに固定されている粘着剤よりも弱い粘着剤でタッチパネル側に保持する方法がある。押圧部１１２は使用者が直接触れて操作するため、導電樹脂で成形される。使用者が押圧部１１２を押操作したとき、ラバーは変形し押圧部１１２が沈み込む。この時、押圧部１１２の先端部がタッチパネル２９と当接し、カメラ２００はタッチパネル２９の静電容量の変化を検知する。
【００３０】
図４は図１の第一の釦１１０と第二の釦１１１を取り付ける前のカメラ２００の外観図である。カメラ２００の基本操作はタッチパネルで操作することが可能である。しかし、撮影者がカメラ２００を構えたときにはタッチパネルで操作をすることが難しいため、メカ操作部材があることが望ましい。
【００３１】
カメラ２００に第一の操作部材１１０、第二の操作部材１１１を取り付ける時のフローチャートを図５に示す。前述したとおりカメラはタッチパネルで通常操作ができるためここでは、第一の操作部材１１０や第二の１１１を配置する事を前提としたフローチャートを説明する。
【００３２】
Ｓ１では後付けする操作部材を配置するためのモードを選択する。配置モードを選択したとき、カメラは撮影モードを停止し、操作部材を配置するための専用モードに移行し、選択しない場合は通常撮影に移行する。
【００３３】
Ｓ２では図６−ａに示すカメラＡ３００や、図６−ｂに示すカメラＢ４００のような操作部材配置を選択することが可能である。また、あらかじめ登録していた操作部材配置を呼び出し選択することができても良い。この場合、複数の使用者がいた場合であっても、最適な操作部材配置を再現することが可能である。
【００３４】
Ｓ３で、カメラ２００は図７の２１０、２１１のように配置位置が表示部２８にハイライトされる。使用者は表示部２８のハイライトされた２１０、２１１に第一の操作部材１１０、第二の操作部材１１１を取り付ける作業を行う。
【００３５】
Ｓ４では、表示部２８上に取り付けた第一の操作部材１１０、第二の操作部材１１１の静電容量の変化を、タッチパネル２９が感知する。この時、何度かボタンを触れることで確実にカメラ側にボタンが配置されたことを認識させることが望ましい。
【００３６】
Ｓ５では、配置された操作部材が機能を持った操作部材であるか否かを判断する。機能を持っている第３の操作部材１３０か、機能を持っていない第二の操作部材１１１か否かの判断については図８に記す。図８は前述した第二の操作部材１１１の構成と同形状であるが、ラバー１１３に認識マーク１３１を有している。認識マーク１３１とは、例えばラバー１１３が導電部材で一部が凸形状のことである。認識マーク１３１とフィルム面の切り欠き部１３２は同位置で組み付けられている。この時、第３の操作部材１３０を表示部２８に取り付けると、接触部が押圧部１１２の先端と認識マーク１３１の２ヶ所となる。カメラ２００は静電容量が変化する箇所を複数検知することになるため、第二の操作部材１１１と異なる検知をすることが可能である。この静電容量が変化した箇所が複数存在することでカメラ側は操作部材自身に機能を持っていることを検知することが可能となる。
【００３７】
Ｓ６では第二の操作部材１１１が認識マーク１３１を持たず、取りつけ後に機能を割りつけるモードである。詳細は図９、図１０を用いて説明する。Ｓ２で前述した過去機種の選択を行った場合は、過去機種と同じ操作部材配置の機能が割り当てられる。ただし、過去機種のレイアウトを選択したからといってボタンの機能が同じである必要性は無く、ユーザは図９の１３３のように操作部材機能が羅列されたダイアログから機能を選択する事も可能である。また図１０に示すように操作部材のハイライト部２１０、２１１をドラックして使用者の任意の位置に移動させることが可能である。（ドラックとはタッチパネルに触れ、そのままスライドさせることである）
Ｓ７では前述したＳ５とＳ６で配置したボタンの位置と機能がカメラ側で推奨する操作性を害さないか確認を行う。例えば画面中央より左側に撮影系の操作部材を配置した場合、使用者はファインダ越しに被写体を覗きながら撮影系のボタン操作を行うことが困難である。この場合Ｓ８で、ボタンの配置位置と機能が好ましくないことを使用者に警告表示する。しかしながら、使用者に自由度を持たせるため、あくまでも警告表示であり必ずカメラの推奨どおりに配置する必要はない。
【００３８】
Ｓ９では操作部材の配置が完了したか否かを判断する。配置を継続して実施する場合はＳ４に移行し、終了を選択すれば専用モードを抜け、通常のカメラ動作に移行する。
【００３９】
以上、本発明の好ましい実施形態について説明したが、本発明はこれらの実施形態に限定されず、その要旨の範囲内で種々の変形及び変更が可能である。
【００４０】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００４１】
２２：撮像部
２８：表示部
２９：タッチパネル
７０：操作部
７１：操作部材
１００：従来カメラ
１１０：第一の操作部材
１１１：第二の操作部材
２００：本発明の撮像装置
２１０：配置レイアウト（第一の操作部材）
２１１：配置レイアウト（第二の操作部材）
【図１】
2019056856.tif 000003
【図２−ａ】
2019056856.tif 000004
【図２−ｂ】
2019056856.tif 000005
【図２−ｃ】
2019056856.tif 000006
【図２−ｄ】
2019056856.tif 000007
【図３−ａ】
2019056856.tif 000008
【図３−ｂ】
2019056856.tif 000009
【図３−ｃ】
2019056856.tif 000010
【図４】
2019056856.tif 000011
【図５】
2019056856.tif 000012
【図６−ａ】
2019056856.tif 000013
【図６−ｂ】
2019056856.tif 000014
【図７】
2019056856.tif 000015
【図８】
2019056856.tif 000016
【図９】
2019056856.tif 000017
【図１０】
2019056856.tif 000018
【図１１】
2019056856.tif 000019